(57)【要約】【課題】調湿性能が高く、意匠性に優れた調湿パネルの設置構造及び調湿パネルユニットを提供する。【解決手段】本発明の調湿パネルの設置構造は、調湿パネル（２）と、前記調湿パネルの裏側に設けられる支持部（８）と、建物の壁面（１００）に固定され、前記支持部と係合する受け部材（３）と、を備え、前記受け部材に前記支持部を係合させることにより、前記調湿パネルの裏側と前記壁面との間に空間が形成されるように前記調湿パネルが固定されることを特徴とする。【選択図】図４
2018162642.tif 000002
【特許請求の範囲】
【請求項１】
調湿パネルと、
前記調湿パネルの裏側に設けられる支持部と、
建物の壁面に固定され、前記支持部と係合する受け部材と、を備え、
前記受け部材に前記支持部を係合させることにより、前記調湿パネルの裏側と前記壁面との間に空間が形成されるように前記調湿パネルが固定されることを特徴とする調湿パネルの設置構造。
【請求項２】
前記調湿パネルの縁部に枠部が設けられ、
前記支持部は、前記枠部の内側に配置され、
前記調湿パネルの厚さ方向における前記支持部及び前記受け部材の寸法は、前記空間の前記調湿パネルの厚さ方向における寸法よりも小さく、
前記受け部材に前記支持部が係合されたときに、前記枠部の裏面が前記壁面に当接するように構成されている
請求項１に記載の調湿パネルの設置構造。
【請求項３】
前記受け部材は、上面に上側に向かうにしたがって前記壁面から離間するように傾斜する係止部を備え、
前記支持部は、下面に前記調湿パネルの裏面との当接部の下端から下側に向かうにしたがって前記調湿パネルから離間するように傾斜する被係止部を備え、
前記支持部は前記受け部材の上方に配置されて前記係止部と前記被係止部とが係止することにより前記調湿パネルが前記壁面に支持される
請求項１または請求項２に記載の調湿パネルの設置構造。
【請求項４】
前記調湿パネルの裏側かつ前記支持部よりも下方に離間して設けられ、前記支持部が前記受け部材に係合された状態で、前記調湿パネルの上方への移動を規制する規制部材を備える
請求項１から請求項３のいずれか一項に記載の調湿パネルの設置構造。
【請求項５】
調湿パネルと、
前記調湿パネルの縁部に配された枠部と、
前記調湿パネルの裏側に設けられる支持部と、
建物の壁面に固定され、前記支持部と係合する受け部材と、を備え、
前記調湿パネルの裏側と前記壁面との間に空間が形成されるとともに、前記枠部と前記壁面とが当接されるように前記調湿パネルが固定されることを特徴とする調湿パネルユニット。
【発明の詳細な説明】
【技術分野】
【０００１】
本発明は、調湿パネルを壁面に取り付けるための調湿パネルの設置構造及び調湿パネルユニットに関する。
【背景技術】
【０００２】
近年、建物の高気密化が進み、新築の建物のみならず、既存の建物の改築・改装を行うリフォームの場合にも、室内の気密性を高める施工が行われる場合がある。気密性の高い建物においては、建材表面の結露等を防ぐ目的で、室内の湿度を調節する調湿性能を備える調湿建材が使用される場合がある。このような調湿建材の一例として、調湿性能を備えるタイルがあり（例えば、特許文献１参照）、調湿性能を備えるとともに意匠性の高いタイルを壁面に設けることができる。
【０００３】
従来、屋内のリフォーム時にタイル等で壁面装飾を行う場合、壁面に接着剤を塗布してタイルを直接壁面に貼り付けて固定する方法が一般的である。しかし、この方法は、施工に手間が掛かる上に高い技能が必要とされていた。これに対し、特許文献２では、下地パネルにタイルが固定された板状の部材と、額縁状の枠体と、を備えた化粧パネルが開示されている。この化粧パネルは、壁面に固定した留め金具に枠体を係止させることで壁面に設置するように構成されている。つまり、特許文献２の化粧パネルは、簡易な作業で壁面にタイル等の装飾を行うことができるので、専門業者による内装工事が不要となる。
【先行技術文献】
【特許文献】
【０００４】
【特許文献１】特開平１１−３１５５８６号公報
【特許文献２】特開２０１５−１８６５３８号公報
【発明の概要】
【発明が解決しようとする課題】
【０００５】
しかしながら、特許文献２の化粧パネルは、壁面と化粧パネルとの間に隙間が生じる。このため、壁面と化粧パネルとの間に埃等が溜まりやすいという問題がある。また、従来のように、壁面に直接タイル等を貼り付けた場合に比べて壁面との一体感が得られず、外観の改善が望まれていた。
【０００６】
また、特許文献２の化粧パネルでは、枠体の表面及び下地パネルとタイルとの間に設けられたシート材とが、タイルの裏面を覆うように配置され、タイルは金属製の枠体の表面及びシート材に接着剤で固定されている。このため、特許文献２の化粧パネルに調湿性能を有する材質からなるタイルを取り付ける場合に、タイルの調湿性能は表面側のみから得られることになり、調湿性能の更なる向上が望まれていた。
【０００７】
上記事情を踏まえ、本発明は、調湿性能が高く、意匠性に優れた調湿パネルの設置構造及び調湿パネルユニットを提供することを目的とする。
【課題を解決するための手段】
【０００８】
本発明に係る調湿パネルの設置構造は、調湿パネルと、前記調湿パネルの裏側に設けられる支持部と、建物の壁面に固定され、前記支持部と係合する受け部材と、を備え、前記受け部材に前記支持部を係合させることにより、前記調湿パネルの裏側と前記壁面との間に空間が形成されるように前記調湿パネルが固定されることを特徴とする。
【０００９】
この発明によれば、受け部材に支持部を係合させることにより、調湿パネルの裏側と壁面との間に空間が形成されるように調湿パネルが壁面に固定されるので、調湿パネルの両面で調湿性能を発揮でき、調湿効果を高めることができる。
【００１０】
本発明に係る調湿パネルの設置構造は、前記調湿パネルの縁部に枠部が設けられ、前記支持部は、前記枠部の内側に配置され、前記調湿パネルの厚さ方向における前記支持部及び前記受け部材の寸法は、前記空間の前記調湿パネルの厚さ方向における寸法よりも小さく、前記受け部材に前記支持部が係合されたときに、前記枠部の裏面が前記壁面に当接するように構成されていてもよい。
【００１１】
この発明によれば、建物の壁面に固定された受け部材に支持部を係合させることにより、枠体と壁面との間に隙間が生じないように調湿パネルを壁面に取り付けることができる。したがって、外観上、壁面と一体感を有するように調湿パネルを取り付けることができる。
【００１２】
本発明に係る調湿パネルの設置構造では、前記受け部材は、上面に上側に向かうにしたがって前記壁面から離間するように傾斜する係止部を備え、前記支持部は、下面に前記調湿パネルの裏面との当接部の下端から下側に向かうにしたがって前記調湿パネルから離間するように傾斜する被係止部を備え、前記支持部は前記受け部材の上方に配置されて前記係止部と前記被係止部とが係止することにより前記調湿パネルが前記壁面に支持されていてもよい。
【００１３】
この発明によれば、受け部材の上面の傾斜した係止部に、支持部の下面の傾斜した被係止部が係止することにより、調湿パネルが壁面に支持可能である。つまり、受け部材の係止部に支持部の被係止部が楔構造で係止されるので、調湿パネルを壁面に簡単に固定することができる。したがって、専門的な技能が不要な簡便な方法で調湿パネルを壁面に設置することができる。
【００１４】
本発明に係る調湿パネルの設置構造では、前記調湿パネルの裏側かつ前記支持部よりも下方に離間して設けられ、前記支持部が前記受け部材に係合された状態で、前記調湿パネルの上方への移動を規制する規制部材を備えてもよい。
【００１５】
この発明によれば、規制部材により調湿パネルの上方への移動を規制することができるので、受け部材と支持部との係合が解除されて調湿パネルが壁面から脱落することを防ぎ、調湿パネルが安定して支持される。
【００１６】
本発明に係る調湿パネルユニットは、調湿パネルと、前記調湿パネルの縁部に配された枠部と、前記調湿パネルの裏側に設けられる支持部と、建物の壁面に固定され、前記支持部と係合する受け部材と、を備え、前記調湿パネルの裏側と前記壁面との間に空間が形成されるとともに、前記枠部が前記壁面に当接されるように前記調湿パネルが固定されることを特徴とする。
【００１７】
この発明によれば、調湿パネルユニットは、壁面に受け部材を固定し、支持部を係合させることにより、調湿パネルの裏側と壁面との間には空間が形成され、枠体と壁面との間には隙間が生じないように調湿パネルを壁面に取り付けることができる。したがって、調湿パネルの両面で調湿でき、且つ、外観上、壁面と一体感を有する調湿パネルを、容易に取り付けられる。
【発明の効果】
【００１８】
本発明によれば、調湿パネルの両面で調湿性能を発揮可能であり、意匠性に優れ、且つ取り付け易い調湿パネルの設置構造及び調湿パネルユニットを提供できる。
【図面の簡単な説明】
【００１９】
【図１】本発明の一実施形態に係る調湿パネルの設置構造の適用例を示す斜視図である。
【図２】本発明の第一実施形態の調湿パネルの横断面図である。
【図３】本発明の第一実施形態の受け部材を示す斜視図である。
【図４】本発明の第一実施形態に係る調湿パネルの設置構造を示す縦断面図である。
【図５】本発明の第一実施形態に係る調湿パネルの設置構造の分解斜視図である。
【図６】本発明の第一実施形態の調湿パネルユニットの設置方法を示した模式図である。
【図７】本発明の第一実施形態の施工用型紙を示す正面図である。
【図８】本発明の第二実施形態に係る調湿パネルの設置構造を背面側から見た図である。
【図９】図８の調湿パネルの設置方法を示す断面図である。
【図１０】第二実施形態の受け部材及び規制部材の変形例を示す図であり、図８と同様に調湿パネルの設置構造を背面側から見た図である。
【図１１】本発明の第一実施形態の受け部材及び支持部の変形例を示す断面図である。
【発明を実施するための形態】
【００２０】
（第一実施形態）
本発明の第一実施形態に係る調湿パネルの設置構造及び調湿パネルユニットについて説明する。図１は、本実施形態に係る調湿パネルの設置構造の適用例を示す斜視図である。図２は、本実施形態の調湿パネルの横断面図である。図３は、本実施形態の受け部材を示す斜視図である。
【００２１】
まず、調湿パネルユニット１について説明する。本実施形態に係る調湿パネルユニット１は、調湿パネル２と、受け部材３とを備える。
【００２２】
以下の説明において、調湿パネルを壁面に取り付けた状態における調湿パネル２の厚さ方向において、建物の壁面と対向する面を裏面と称し、裏面の反対側を調湿パネルの表面と称する場合がある。
【００２３】
調湿パネル２は、枠部４と、下地材５と、調湿材７と、支持部８と、化粧枠６と、を備える。
【００２４】
枠部４は、木製の角材からなる縦枠４１と横枠４２とが略矩形に組み立てられて構成されている。
【００２５】
下地材５は、調湿材７を枠部４に対して固定するために設けられている。本実施形態では、下地材５は、枠部４の外周に略等しい大きさの木製の薄板からなる。
【００２６】
調湿材７は、公知の調湿建材を使用できる。本実施形態では、調湿材７は複数の調湿タイルからなる。本実施形態では、調湿タイルは、図１及び図２に示すように、表側に球面が形成された複数の凸部を有する。このように、意匠性に特徴がある調湿タイルを用いると、図１に示すように、調湿性能を備えるだけではなく、建物の壁面１００の装飾を兼ねる調湿パネル２を提供できる。
【００２７】
調湿タイルは、例えば、火山軽石層の土や珪藻土、酸性白土、活性白土、ゼオライト、ハロイサイト、セピオライトなどの調湿性原料に粘土、珪石、陶石、蝋石、長石その他のガラス質成分等を混合し、押出成形またはプレス成形し、得られた成形体を焼成することにより製造される。この成形体に施釉した後に焼成し、あるいは成形体を素焼きした後施釉し、その後さらに焼成することにより製造できる。なお、施釉は必須の構成ではない。調湿建材の他の例としては、活性炭や珪藻土を主材料として板状に成形したものが挙げられる。
ここでいう調湿性能とは、調湿材が設置された建物内の空間の湿度に応じて、空気中の水分を吸収及び放出する性能を言う。
【００２８】
支持部８は、図４及び図５に示すように、調湿パネル２の幅方向に延設される長尺部材であり、長手方向に直交する断面形状が直角台形である。図４に示すように、支持部８は、当接部８１と、被係止部８２とを備える。当接部８１は、上下方向に延びて下地材５（調湿パネル２の裏側）に当接する平面部であり、直角台形の平行な２面のうち、短辺側の面が当接部８１となる。被係止部８２は、支持部８の下面において、当接部８１の下端から下側に向かうにしたがって調湿パネル２から離間するように傾斜する斜面である。本実施形態の支持部８は、当接部８１の下端から下側に向かうにしたがって調湿パネル２から離間するように傾斜する斜面となっている。図２に示すように、支持部８の長さ方向（調湿パネル２の幅方向）の寸法Ｌ１は、縦枠４１の内側側面間に収まるように、縦枠４１の内側側面間の距離よりわずかに短く設定されている。支持部８の厚さＴ１（図２及び図４に示す矢印Ａ方向の寸法）は、枠部４の厚さ方向の寸法Ｔ２よりも小さく設定されている。
【００２９】
化粧枠６は、調湿パネル２の外周面を覆う木製の枠材である。化粧枠６の縦枠の上下方向略中央部には、ビス孔（不図示）が形成されている。化粧枠６のビス孔は、支持部８の第二ビス孔３４に対応する位置に形成されている。なお、化粧枠６は意匠性を高めるために設けられており、必須の構成ではない。
【００３０】
図２及び図４に示すように、調湿パネル２は、枠部４の表面に下地材５が固定されている。下地材５の表面には、調湿材７が固定されている。具体的には、複数の調湿タイルが並べられて構成される調湿材７が、下地材５の表面の全域を覆うように並べられて接着固定されている。下地材５の裏面には、上下方向の略中央部に支持部８が固定されている。支持部８は、横枠４２と略平行に延び、且つ、縦枠４１の内側側面に支持部８の端面が近接するように、左右の縦枠４１間に収められて固定されている。支持部８は、被係止部８２が下側に配置され、当接部８１が下地材５に当接されて調湿パネル２の幅方向に延びるように配置されて固定されている。したがって、図４に示すように、被係止部８２は、当接部８１の下端から下側に向かうにしたがって調湿パネル２から離間するように傾斜するように設けられる。厚さ方向Ａにおいて、支持部８の寸法Ｔ１は枠部４の寸法Ｔ２よりも小さいので、図２及び図４に示すように、枠部４の裏面４３から突出しない。
【００３１】
枠部４、下地材５、及び調湿材７の外周を覆うように化粧枠６が設けられている。化粧枠６の裏面６１は、枠部４の裏面４３と面一に設けられている。化粧枠６の表面の内周縁部にはカバー部６２が形成されており、調湿材７の縁部を覆っている。
【００３２】
受け部材３は、建物の壁面１００側に固定され、調湿パネル２を支持する部材である。受け部材３は、図３及び図４に示すように、長尺部材であり、長手方向に直交する断面形状が直角台形である。受け部材３は、当接部３１と、係止部３２とを備える。当接部３１は、受け部材３を壁面１００に取り付ける際に、壁面１００と当接する面である。当接部３１は、上下方向に延びる面であり、直角台形の平行な２面のうち、短辺側の面が当接部３１となる。受け部材３の上面は傾斜しており、係止部３２を構成する。係止部３２は、当接部３１の上端から上側に向かうにしたがって壁面１００から離間するように傾斜する。
【００３３】
受け部材３の長さ方向（調湿パネル２の幅方向）の寸法は、縦枠４１の内側側面間に収まるように、縦枠４１の内側側面間の距離よりわずかに短く設定されている。
また、図４に示すように、受け部材３の厚さ方向の寸法Ｔ３（図４に示す矢印Ａ方向の寸法）は、枠部４の厚さ方向の寸法Ｔ２よりも小さく設定されている。
【００３４】
受け部材３は、複数の第一ビス孔３３と、２つの第二ビス孔３４とを備える。
第一ビス孔３３は、当接部３１における係止部３２との境界近傍に厚さ方向に貫通して形成されている。本実施形態では、第一ビス孔３３は、幅方向（長手方向）に等間隔で３箇所設けられている。第一ビス孔３３は、受け部材３を壁面１００に取り付ける際に、ビス９１が挿通される孔である。
【００３５】
第二ビス孔３４は、受け部材３の幅方向の両側面にそれぞれ一カ所形成され、受け部材３の幅方向に延びる孔である。第二ビス孔３４は、調湿パネル２を受け部材３に固定するためのビス９２が挿入される孔である。
【００３６】
第一ビス孔３３は、受け部材３を壁面１００に取り付けやすくするために形成されており、必須の構成ではない。同様に、第二ビス孔３４は、調湿パネル２を受け部材３に固定し易くするために形成されており、必須の構成ではない。また、受け部材３と支持部８とを同じ形状にして、共用部品としてもよい。
【００３７】
次に、調湿パネルの設置方法について説明する。図５は、調湿パネル２の設置構造の分解斜視図である。図６は、調湿パネルユニット１の設置方法を示した模式図である。
まず、調湿パネル２の設置位置を決める。本実施形態では、調湿パネル２の取り付け位置を決める際、図７に示す施工用型紙１０を使用する。施工用型紙１０は、調湿パネル２の面積と略等しい紙製のシートであり、表面に施工に関する案内表記が施されている。施工者は、まず、施工用型紙１０を壁面１００に当接させて、壁面１００に対する調湿パネル２の取り付け位置をイメージしながら位置決めする。なお、施工用型紙１０は、位置決め後に、テープやステープラ等、公知の固定手段で壁面１００に仮固定してもよい。
【００３８】
次に、受け部材３を壁面１００に固定する工程を行う。調湿パネル２の取り付け位置が決まったら、施工用型紙１０の中央部に記載された「受け部材取り付け位置」の目印線１１に受け部材３の下端を位置合わせして、施工用型紙１０の表面側から受け部材３の当接部３１を押し当てる。この状態で、３つの第一ビス孔３３にそれぞれビス９１を挿入して壁面１００に受け部材３を固定する。この状態で、施工用型紙１０は、壁面１００と受け部材３の当接部３１とで挟持される。施工用型紙１０は紙製なので、受け部材３の固定後に、施工用型紙１０を切り取りあるいは破いて壁面１００から取り外すことができる。あるいは、上記位置決め後、施工用型紙１０上に示されたビス９１の取付位置の孔１２から壁面１００に印を付けた後、施工用型紙１０を壁面１００から離し、壁面１００に付けた印に従って受け部材３を位置合わせし、その後、受け部材３を壁面１００にビス９１で固定してもよい。
【００３９】
次に、調湿パネル２を受け部材３に係止させる工程を行う。支持部８の被係止部８２が受け部材３の係止部３２に近付くように、調湿パネル２を、受け部材３に向かって斜め上方から近付ける（図５及び図６参照）。
このとき、受け部材３の幅方向の寸法は、左右の縦枠４１の内側側面間の距離に略等しい寸法であるため、受け部材３の左右方向の位置に調湿パネル２の左右側面の位置を合わせると円滑に支持部８を受け部材３に係止できる。
【００４０】
次に、調湿パネル２を受け部材３に固定する工程を行う。化粧枠６及び縦枠４１のビス孔及び受け部材３の第二ビス孔３４に、調湿パネル２の左右からそれぞれビス９２が挿通されて、受け部材３に調湿パネル２が固定され、調湿パネル２の設置が完了する。
【００４１】
次に、調湿パネルの設置構造について説明する。
調湿パネル２の被係止部８２が受け部材３の係止部３２に支持されて、支持部８が受け部材３に楔状に係合される。このとき、厚さ方向Ａにおいて、支持部８の寸法Ｔ１及び受け部材３の寸法Ｔ３は枠部４の寸法Ｔ２よりも小さいので、図２に示すように、厚さ方向Ａにおいて、支持部８と壁面１００との間、及び受け部材３と調湿パネル２との間にはわずかな隙間が形成される。さらに、調湿パネル２は、受け部材３に係止された状態で、枠部４の裏面４３が壁面１００と当接する。この結果、調湿パネル２の裏側と壁面１００との間に空間が形成されるとともに、枠部４と壁面１００とが当接されるように調湿パネル２が固定される。
【００４２】
調湿パネル２の裏側に空間が形成されることにより、調湿パネル２は裏側からも調湿性能を発揮できる。また、下地材５は木製の薄板からなるので、調湿パネル２の調湿性能を妨げない。
【００４３】
本実施形態に係る調湿パネルの設置構造によれば、受け部材３に支持部８を係止させることにより、調湿パネル２の裏側と壁面１００との間に空間Ｓが形成されるように調湿パネル２が建物の壁面１００に固定されるので、調湿パネル２の両面で調湿性能を発揮でき、調湿効果を高めることができる。
【００４４】
本実施形態に係る調湿パネルの設置構造によれば、壁面１００に固定された受け部材３に支持部８を係合させることにより、枠部４と壁面１００との間に隙間が生じないように調湿パネル２を壁面１００に取り付けることができる。したがって、外観上、壁面１００と一体感を有するように調湿パネル２を取り付けることができる。
【００４５】
本実施形態に係る調湿パネルの設置構造によれば、受け部材３の係止部３２に支持部８の被係止部８２が、楔構造で係合されるので、調湿パネル２を壁面１００に簡単に固定することができる。したがって、専門的な技能が不要な簡便な方法で調湿パネル２を壁面１００に設置することができる。
【００４６】
本実施形態に係る調湿パネルの設置構造によれば、調湿パネルユニット１は、壁面１００に受け部材３を固定し、支持部８を係合させることにより、調湿パネル２と壁面１００との間には空間Ｓが形成され、枠部４と壁面１００との間には隙間が生じないように調湿パネル２を壁面１００に取り付けることができる。したがって、調湿パネル２の両面で調湿でき、且つ、外観上、壁面１００と一体感を有する調湿パネル２を、容易に取り付けられる。
【００４７】
（第二実施形態）
本発明の第二実施形態に係る調湿パネルの設置構造について説明する。図８は本実施形態に係る調湿パネルユニット１Ａを背面側から見た図である。以下に示す実施形態において、上述した第一実施形態に係る調湿パネルの設置構造の構成要素と機能あるいは構造の点において同様である構成要素には、上記実施形態と同一符号が付されており、上記実施形態と重複する説明は省略する。
【００４８】
本実施形態では、規制部材８４を備える点が第一実施形態と相違する。調湿パネルの裏側には、角柱形状の部材からなる２つの規制部材８４が設けられている。具体的には、規制部材８４，８４は、支持部８よりも下方に離間した位置に下地材５の裏面に固定されている。支持部８及び受け部材３は、第一実施形態の受け部材３と同様である。本実施形態は、第一実施形態の調湿パネルに、支持部８の厚さより薄い規制部材８４を設けた例である。
【００４９】
図９を用いて、本実施形態の調湿パネルを受け部材３に取り付ける方法について説明する。まず、図９（Ａ）に示すように、調湿パネル２を壁面１００に近付けて、規制部材８４を受け部材３に当接させる。次に、図９（Ｂ）に示すように、規制部材８４が受け部材３に当接した状態で調湿パネル２を下方に移動させると受け部材３の係止部３２の上端が支持部８の被係止部８２に当接する。この状態では、受け部材３は規制部材８４の上端よりも上方に位置する。次に、図９（Ｃ）に示すように、調湿パネル２を壁面１００側に押し込み、枠部４を壁面１００に当接させると、受け部材３は、支持部８の被係止部８２と、規制部材８４の上端との間に位置する。続いて、図９（Ｄ）に示すように、調湿パネル２を下方に移動させて、支持部８を受け部材３に係止させる。これにより、壁面１００に調湿パネル２を設置できる。
【００５０】
本実施形態によれば、規制部材８４，８４により調湿パネル２の上方への移動を規制することができるので、受け部材３と支持部８との係合が解除されて調湿パネル２が壁面１００から脱落することを防ぎ、調湿パネル２が安定して支持される。室内のコーナー付近の壁面に調湿パネル２を取り付ける場合や、例えばトイレの壁面等に調湿パネル２を取り付ける際に調湿パネル２の幅が壁面の幅寸法よりわずかに小さい場合等、第一実施形態のように、調湿パネル２と受け部材３とを調湿パネル２の側方からビスで固定することが出来ない。このような場合、本実施形態のように規制部材８４を設けることにより、ビス固定を行わなくても調湿パネル２が上方に移動することを防ぎ、調湿パネル２が受け部材３に支持された状態を保つことができる。
【００５１】
本実施形態の受け部材及び規制部材は上記態様に限定されない。図１０は、本実施形態の変形例を示す図であり、図８と同様に、調湿パネルの設置構造を背面側から見た図である。本変形例は、受け部材３Ａの構成が第二実施形態と相違する。調湿パネル２の裏側には、角柱形状の部材からなる２つの規制部材８４が設けられている。具体的には、規制部材８４，８４は、支持部８よりも下方に離間した位置に下地材５の裏面に固定されている。受け部材３Ａは、第一実施形態の受け部材３と同じ断面形状を有し、幅方向の寸法が第一実施形態の受け部材３より短い部材であり、それぞれ壁面に固定される。２つの受け部材３Ａ，３Ａ間の離間距離は、２つの規制部材８４，８４間の離間距離に応じて設定され、支持部８が受け部材３Ａに係合された状態で、受け部材３Ａ，３Ａの下方にそれぞれ規制部材８４，８４が位置する。また、支持部８が受け部材３Ａに係合された状態で、受け部材３Ａの下面と規制部材８４の上面との間に隙間が生じるように離間する位置関係となるように、受け部材３Ａ，３Ａと規制部材８４とが設けられている。
【００５２】
規制部材８４，８４と支持部８の下端との離間距離が受け部材３Ａの係止部３２の上端から受け部材３Ａの下端までの寸法よりも短くなるように、規制部材８４，８４が下地材５の裏面に取付けられている。この結果、規制部材８４，８４は、支持部８が受け部材３Ａ，３Ａに係合された状態で、調湿パネル２の上方への移動を規制する。すなわち、支持部８が受け部材３Ａ，３Ａに係合された状態で調湿パネル２が上方へ移動する方向に動いたときに、受け部材３Ａ，３Ａの下面が規制部材８４，８４の上面に当接し、調湿パネル２の上方への移動が規制され、支持部８と受け部材３Ａ，３Ａとの係合が解除されることを防ぐように構成されている。
【００５３】
本変形例では、調湿パネル２を壁面１００に設置する際、調湿パネル２を受け部材３Ａ，３Ａに対して幅方向にずらした位置（例えば、枠部４の内側側面が一方の受け部材３Ａの外側側面に近接する位置）で枠部４の裏面４３を壁面１００に当接させ、その後、調湿パネル２を幅方向にスライドさせて、各受け部材３Ａ，３Ａに支持部８を係合させて調湿パネル２を壁面１００に取り付ける。
【００５４】
このような構成であっても、第二実施形態と同様に、規制部材８４，８４により調湿パネル２の上方への移動を規制することができるので、受け部材３Ａ，３Ａと支持部８との係合が解除されて調湿パネル２が壁面１００から脱落することを防ぎ、調湿パネル２が安定して支持される。
【００５５】
上記実施形態では、下地材が調湿材７の裏側の全面を覆う薄板である例を挙げたが、これに限定されるものではなく、下地材は、調湿材７を枠部４に対して固定可能であり、且つ、調湿材７の吸湿機能を妨げない構成であればよい。下地材は、例えば、枠部４と調湿材７の裏面との間に配置された平板状の薄板であって枠部４よりも内側の領域に複数の開口を備える例や、複数の調湿タイルの縁部に沿って格子状の薄板が配置される例や、調湿材７の裏面を保持可能なメッシュ状のシート等であってもよい。
【００５６】
支持部８及び受け部材３は長手方向に直交する断面形状が直角台形の例を挙げたが、受け部材及び支持部の形態はこれに限定されるものではない。受け部材は、壁面１００との当接部と、支持部を係止する係止部とを備える構成であればよい。支持部は、調湿パネルの裏側に設置可能であり、且つ、受け部材との被係止部を備える構成であればよい。図１１に第一実施形態の変形例の調湿パネルユニット１Ｂの縦断面図を示す。例えば、図１１に示すように、被係止部８２は、支持部８Ｂの下面における当接部８１側の部分が当接部８１の下端から下側に向かうにしたがって調湿パネル２から離間するように形成された傾斜面でもよい。また、係止部３２は、受け部材３Ｂの上面における表側（調湿パネル側）の部分に上面から上側に向かうにしたがって壁面１００から離間するように形成された傾斜面でもよい。また、支持部は、例えば、当接部と被係止部とを備える長尺な中空の型材等であってもよい。同様に、受け部材は、例えば、当接部と係止部とを備える長尺な中空の型材等であってもよい。
【００５７】
上記実施形態では、施工時に施工用型紙１０を用いて調湿パネル２の取付位置を位置決めする例を挙げたが、施工用型紙１０は、調湿パネル２を誰でも容易に取り付けられるように使用するものであり、本発明に係る調湿パネルの設置構造及び調湿パネルユニットの必須の構成ではない。
【００５８】
本発明に係る調湿パネルの設置構造及び調湿パネルユニットは、上述の通り、調湿パネルの表裏両面で調湿性能を発揮させるという目的において好適であるが、枠部が壁面との間に隙間が生じないようにパネルを設置することにより壁面とパネルとに一体感が得られるという点においては、調湿パネル以外に、タイル等の装飾パネルにも適用できる。
【００５９】
以上、本発明の実施形態及び変形例について図面を参照して詳述したが、具体的な構成はこの実施形態に限られるものではなく、本発明の要旨を逸脱しない範囲の設計変更等も含まれる。
また、上述の実施形態及び変形例において示した構成要素は適宜に組み合わせて構成することが可能である。
【符号の説明】
【００６０】
１，１Ａ，１Ｂ  調湿パネルユニット
２  調湿パネル
３，３Ａ  受け部材
４  枠部
５  下地材
７  調湿材
８  支持部
３２  係止部
８２  被係止部
８４  規制部材
１００  壁面
【図１】
2018162642.tif 000003
【図２】
2018162642.tif 000004
【図３】
2018162642.tif 000005
【図４】
2018162642.tif 000006
【図５】
2018162642.tif 000007
【図６】
2018162642.tif 000008
【図７】
2018162642.tif 000009
【図８】
2018162642.tif 000010
【図９】
2018162642.tif 000011
【図１０】
2018162642.tif 000012
【図１１】
2018162642.tif 000013